(57)【要約】【課題】  キュービクル式高圧受電設備の電圧計や電流計が故障した場合でも、容易に電圧、電流を計測できるキュービクル式高圧受電設備を提供する。【解決手段】  キュービクル式高圧受電設備１内の所定の電路の電圧を表示する電圧計及び電流計が組み込まれた監視装置４が取り付けられたメータパネル２に、電圧計が接続されて電圧計測している電路に電気的に接続された電圧計測用端子７、及び電流計が接続されて電流計測しているケーブルＣ１の一部をＵ字状に露出させた電流計測用窓６を設けた。【選択図】  図１
2019022388.tif 000002
【特許請求の範囲】
【請求項１】
キュービクル内の所定の電路の電圧を表示する電圧計及び所定の電路の電流を表示する電流計が取り付けられたメータパネル或いはその近傍に、前記電圧計が接続されて電圧計測している電路に電気的に接続された電圧計測用端子、及び前記電流計が接続されて電流計測している変流器２次側の電線を露出させた電流計測用窓が設けられて成ることを特徴とするキュービクル式高圧受電設備。
【請求項２】
前記電圧計測用端子及び前記電流計測用窓は、前記メータパネル上であって電圧計或いは電流計の近傍に配置されて成ることを特徴とする請求項１記載のキュービクル式高圧受電設備。
【請求項３】
キュービクル内の所定の電路の電圧を表示する電圧計及び所定の電路の電流を表示する電流計が取り付けられたメータパネル或いはその近傍に、前記電圧計が接続されて電圧計測している電路に電気的に接続された電圧計測用端子を設けると共に、前記電流計が接続されて電流計測している変流器２次側の電線を前方にＵ字状に突出させたクランプ部を設けて成ることを特徴とするキュービクル式高圧受電設備。
【発明の詳細な説明】
【技術分野】
【０００１】
本発明は、キュービクル式高圧受電設備に関する。
【背景技術】
【０００２】
キュービクル式高圧受電設備が、工場や事業所等で広く使用されている。このようなキュービクル式高圧受電設備には、所定の電路の電圧を計測する電圧計や電流を計測する電流計が見易い位置にパネル等を設けて設置されており（例えば、特許文献１参照）、保安管理者等の点検者により定期的に計測値が読み取られて記録管理されている。
【先行技術文献】
【特許文献】
【０００３】
【特許文献１】特開２００１−２４４１３０号公報
【発明の概要】
【発明が解決しようとする課題】
【０００４】
上述したように、キュービクル式高圧受電設備には電圧計、電流計が設置されてキュービクルの管理に利用されているが、これらの計測器が故障するとテスターやクランプメータ等を使用して点検者自身が計測していた。
例えば電流計が故障した場合は、キュービクルの裏側等を開けて内部に設置されている変流器を探し出し、そこに挿通されているケーブルに対して用意したクランプメータにより把持して計測した。そのため、計測作業は危険を伴っていた。
特に近年では、電流計や電圧計等のメータに液晶表示を使用して複数の計測値を一括表示するデジタル表示器を設置したものもあり、このような一括表示する機器が故障すると全ての計測値が表示されない事態が発生するため、点検者による計測作業は複数箇所になり負担が増加した。
【０００５】
そこで、本発明はこのような問題点に鑑み、キュービクルの電圧計や電流計が故障した場合でも、容易に電圧、電流を計測できるキュービクル式高圧受電設備を提供することを目的としている。
【課題を解決するための手段】
【０００６】
上記課題を解決する為に、請求項１の発明に係るキュービクル式高圧受電設備は、キュービクル内の所定の電路の電圧を表示する電圧計及び所定の電路の電流を表示する電流計が取り付けられたメータパネル或いはその近傍に、電圧計が接続されて電圧計測している電路に電気的に接続された電圧計測用端子、及び電流計が接続されて電流計測している変流器２次側の電線を露出させた電流計測用窓が設けられて成ることを特徴とする。
この構成によれば、電圧計が故障したら電圧計測用端子を利用してテスター等を使用して容易に所定電路の電圧を計測できるし、電流計が故障したら電流計測用窓から露出している電路に対してクランプメータ等を使用して容易に電流を計測できるため、点検者は容易に且つ安全に点検できる。
【０００７】
請求項２の発明は、請求項１に記載の構成において、電圧計測用端子及び電流計測用窓は、メータパネル上であって電圧計或いは電流計の近傍に配置されて成ることを特徴とする。
この構成によれば、電圧計或いは電流計の近傍に計測用の端子或いはケーブルが配置されているため、場所を探すこと無く速やかに計測できる。
【０００８】
請求項３の発明に係るキュービクル式高圧受電設備は、キュービクル内の所定の電路の電圧を表示する電圧計及び所定の電路の電流を表示する電流計が取り付けられたメータパネル或いはその近傍に、電圧計が接続されて電圧計測している電路に電気的に接続された電圧計測用端子を設けると共に、電流計が接続されて電流計測している変流器２次側の電線を前方にＵ字状に突出させたクランプ部を設けて成ることを特徴とする。
この構成によれば、電圧計が故障したら電圧計測用端子を利用してテスター等を使用して容易に所定電路の電圧を計測できるし、電流計が故障したら露出しているクランプ部を使用してクランプメータ等で容易に電流を計測できるため、点検者は容易に且つ安全に点検できる。
【発明の効果】
【０００９】
本発明によれば、電圧計が故障したら電圧計測用端子を利用してテスター等を使用して容易に所定電路の電圧を計測できるし、電流計が故障したら電流計測用窓から露出している電路に対してクランプメータ等を使用して容易に電流を計測できるため、点検者は容易に且つ安全に点検できる。
【図面の簡単な説明】
【００１０】
【図１】本発明に係るキュービクル式高圧受電設備の一例を示す正面説明図であり、右側扉を外した状態を示している。
【図２】メーターパネルの説明図であり、（ａ）は正面図、（ｂ）は側面図で電流計測の説明図である。
【図３】メーターパネルの側面図であり、電圧計測の説明図である。
【発明を実施するための形態】
【００１１】
以下、本発明を具体化した実施の形態を、図面を参照して詳細に説明する。図１は本発明に係るキュービクル式高圧受電設備の一例を示す正面説明図であり、右側扉を外して内部のメータパネルを露出させた状態を示している。キュービクル式高圧受電設備１は、例えば６６００Ｖの高電圧ケーブルが引き込まれ、例えば２１０Ｖの低圧に変換する変圧器をはじめ計器用変成器やコンデンサ等から成る高圧受電設備がキュービクル１ａに収容され、キュービクル１ａは雨水等からこれらを保護するよう防水構造で形成されている。
そして、扉を開けた正面にはメータパネル２が配置され、取引用高圧メータ３や所定電路の電圧や電流を計測する計器類が配置されている。例えば、低圧三相電路の線間電圧や相電流、また単相３線式電路の線間電圧や相電流を計測する電圧計、電流計が配置されている。
【００１２】
尚、ここでは、所定の電路の電流や電圧を表示する計測器として、液晶画面４ａに一括表示する監視装置４が設置されており、アナログメータでなくデジタル表示器が設置されている。
【００１３】
図２，３はメータパネル２の説明図であり、図２（ａ）は正面図、図２（ｂ）、図３は側面説明図である。図２（ｂ）は電流を計測する説明図、図３は電圧を計測する説明図をそれぞれ示している。
上述したようにメータパネル２には、取引用高圧メータ３、監視装置４が組み付けられているが、更に次のような構成を有している。監視装置４の下側には、計測のために監視装置４に接続される電線を中継する複数の端子台を備えた端子台列５が配置され、その下には電流計測用の複数の窓（電流計測用窓）６が配置されている。またメータパネル２の下端には電圧計測のための端子（電圧計測用端子）７が設けられている。
【００１４】
端子台列５は、上下の端子５ａ，５ｂは何れも入力端子で、上下で段差を設けて配置され、それぞれ内部プリント基板へ連結されて監視装置４に接続されている。
上下の端子５ａ，５ｂは背部に設置されている受電設備の所定の部位或いは電路から配設された電線が接続されている。例えば、図２に示す様に電流を計測するために変流器８から延設された電線Ｃ１，Ｃ２が端子台列５の中の所定の端子台に接続されている。
尚、変流器８には計測対象の電路（図示せず）が挿通されている。
【００１５】
そして、この電線Ｃ１，Ｃ２のうち一方の電線Ｃ２は途中メータパネル２の電流計測用窓６から前方へＵ字状に引き出されてクランプ部６ａを形成して配設され、メータパネル２の前方からクランプメータ等で把持できるよう構成されている。電流計測用窓６は複数設けられて、電流が計測される個々の電路に対してそれぞれ独立した電流計測用窓６からケーブルが引き出されて、点検者により計測できるよう構成されている。尚、６ｂは対応する変流器８の電流比（例えば、４００／５Ａ）を表示した表示部を示している。
【００１６】
電圧計測用端子７には、図３に示す様に端子台列５の下側の端子５ｂに計測対象の電路或いは端子から延設された電線Ｃ４が接続され、加えて電圧計測用端子７に接続される電線Ｃ３が接続されている。
電圧計測用端子７も複数の端子で構成され、例えば計測対象が単相３線式電路である場合、隣接する３端子が１組と成っており、２つの電圧相と中性相がそれぞれ接続されている。よって、電圧計測用テスターの２本のプローブをこの３端子のうちの任意の２端子に接触させれば電圧が計測できる。
【００１７】
このように、電圧計が故障したら電圧計測用端子７を利用してテスター等を使用して容易に所定電路の電圧を計測できるし、電流計が故障したら電流計測用窓６から露出している電線Ｃ２のクランプ部６ａに対してクランプメータ等を使用して容易に電流を計測できる。
そして、電圧計、電流計としての監視装置４の近傍に電流計測用窓６及び電圧計測用端子７が配置されているので、場所を探すこと無く容易に計測できる。
【００１８】
尚、上記実施形態では、マニュアル操作で電流を計測するためのクランプ部６ａを、メータパネル２の電流計測用窓６を設けて電線Ｃ１を露出させているが、窓６を設けずにメータパネル２の周囲の空間を利用して電線Ｃ１をＵ字状に前方へ突出させても良く、窓６を設けた場合と同様にクランプメータ等で容易に計測することができる。
また、電圧を計測するために専用の電圧計測用端子７を設けているが、端子台列５が直接プローブを当て易い構造である場合は、端子台列５を使用して電圧を計測しても良く、専用の電圧計測用端子７を設けなくとも良い。
【符号の説明】
【００１９】
１・・キュービクル式高圧受電設備、１ａ・・キュービクル、２・・メータパネル、３・・取引用高圧メータ、４・・監視装置（電圧計、電流計）、５・・端子台列、６・・電流計測用窓、６ａ・・クランプ部、７・・電圧計測用端子、８・・変流器。
【図１】
2019022388.tif 000003
【図２】
2019022388.tif 000004
【図３】
2019022388.tif 000005